(57)【要約】【課題】  根太の上に配列されるデッキ材が隣接どうしで接触するにもかかわらず、人が上にのった力で撓んだとしても、軋む金属音が発生しなくなるベランダ等における防音デッキ構造を提供する。【解決手段】  下面壁の上に左右１対の中空踏板部を形成し、一端に下面壁の延長としてＬ字形片が突設されることによりその側の中空踏板部とで排水溝が設けられ、他方にはその側の中空踏板部の外側面に突起条を形成してあって、デッキの組立てにおいて、Ｌ字形片を隣接デッキ材の突起条に押し当てた線接触が保持されるように、両中空踏板部間の凹部としての間隔で下面壁を根太にビス止めした。【選択図】    図１
2005320763.tif 000002
【特許請求の範囲】
【請求項１】
根太の上に配列されるアルミ押出形材からなるデッキ材について、下面壁の上に左右１対の中空踏板部を形成し、一端に下面壁の延長としてＬ字形片が突設されることによりその側の中空踏板部とで排水溝が設けられ、他方にはその側の中空踏板部の外側面に突起条を形成してあって、デッキの組立てにおいて、Ｌ字形片を隣接デッキ材の突起条に押し当てた線接触が保持されるように、両中空踏板部間の間隔としての凹部で下面壁を根太にビス止めしたことを特徴とするベランダ等における防音デッキ構造
【請求項２】
デッキ材について、突起条を有する中空踏板部からその上面壁の延長としてカバー片を逆Ｌ字形ないしコ字反転形に突設し、さらに、下面とＬ字形片とにわたって接触するプラスチックの押出形材からなる被覆材が組み合わせてあることを特徴とする請求項１記載のベランダ等における防音デッキ構造。
【発明の詳細な説明】
【技術分野】
【０００１】
この発明は、アルミ押出形材からなるデッキ材を敷き並べてデッキが構成されるベランダやバルコニー、物干し台等において、踏み足で掛かる重みや風力による揺れ等で金属どうしが接触面で擦り合って軋む金属音が発生しないようにした防音デッキ構造に関する。
【背景技術】
【０００２】
ベランダやバルコニー、物干し台等においては、雨水や太陽光により朽ちないアルミ押出形材からなる根太やデッキ材が多用され、デッキ材を整然と秩序正しく並べるためや相互に持たせるために隣接デッキ材を付き合わせてビス止めされる。また、強度上から中空に形成されるが、根太に下面壁で安定してビス止めする必要から、下面壁が底壁となる凹部が設けられる。しかし、それを排水溝とすることはビス孔を有することとの関係で適当ではないので、一端にＬ字形またはそれに近い形状のＬ字形片により排水溝が設けられる。
【０００３】
デッキ材はこれが直行するよう配列されている根太等にビス止めされるが、殊に根太と根太との間が踏まれたときにそのデッキ材が僅かではあるが人の重みで撓むこととなり、このときに隣接するデッキ材と接触面で擦り合い軋む金属音が騒音として発生する。また、殊に支柱の上にデッキを設けた屋根利用の車庫等においては、風を受けて揺れが発生しやすいので、それが原因で同じように金属音が発生する。また、デッキ材どうしの他に、根太との接触部分で同じように軋む金属音が発生することがあった。
【０００４】
上記の問題を解決するために種々実験と研究を重ねた結果、軋むような金属音の発生は、金属面どうしの密着した面接触が原因で摩擦抵抗が大きいときに、抵抗による変形が瞬間的に微細に継続して発生する振動によることが分かった。また、排水溝を構成するために振動しやすいＬ字形片を突設してあると、その弾性で他のデッキ材との密着が確実となるため、利点があるものの金属音の発生が多いことも分かった。
【発明の開示】
【発明が解決しようとする課題】
【０００５】
この発明は、上記のような実情に鑑みて、根太の上に配列されるデッキ材が隣接どうしで接触するにもかかわらず、人が上にのった力で撓んだとしても、軋む金属音が発生しなくなるベランダ等における防音デッキ構造を提供することを課題とした。
【課題を解決するための手段】
【０００６】
上記の課題を達成するために、この発明は、根太の上に配列されるアルミ押出形材からなるデッキ材について、下面壁の上に左右１対の中空踏板部を形成し、一端に下面壁の延長としてＬ字形片が突設されることによりその側の中空踏板部とで排水溝が設けられ、他方にはその側の中空踏板部の外側面に突起条を形成してあって、デッキの組立てにおいて、Ｌ字形片を隣接デッキ材の突起条に押し当てた線接触が保持されるように、両中空踏板部間の凹部としての間隔で下面壁を根太にビス止めしたことを特徴とするベランダ等における防音デッキ構造を提供するものである。
【０００７】
ベランダ等における防音デッキ構造を上記のように構成したから、根太の上にデッキ材を配列する際に、整然と平行に固定するために、先行するデッキ材に強く押し当てながらビス止めしても、突起条により線接触となるために、デッキ材の上にのった重みで撓んでも、摩擦の比較的少ない線接触であり、しかも、Ｌ字形片の弾性変形が伴うことによって、撓みで円滑な摺動となるので、その際に軋むような金属音が発生することはない。
【０００８】
また、デッキ材について、突起条を有する中空踏板部からその上面壁の延長としてカバー片を逆Ｌ字形ないしコ字反転形に突設し、さらに、下面とＬ字形片とにわたって接触するプラスチックの押出形材が組み合わせてあると（請求項２）、Ｌ字形片がそれを被覆するプラスチックにより突起条と接触することになるので、金属音の発生が全くなくなることはもちろん、突起条とプラスチックとの結合により隣接両デッキ材の結合が安定する。さらに、金属製の根太とも金属どうしの接触がないので、その間においても金属音の発生を防止できる。また、Ｌ字形片がプラスチックによるカバー片で隠され、露出する箇所では足がそのＬ字形片の上に掛かっても痛みがプラスチックにより緩和される。
【発明の効果】
【０００９】
以上説明したように、この発明によれば、根太の上に配列されるデッキ材が隣接どうしでたとえ強く接触しその状態で下面壁を強固に根太にビス止めしてあっても、人が上にのった力で撓んだときに、摩擦が比較的小さい突起条による線接触と、接触を弾力的とするＬ字形片による接触であることから、撓みによる摺動が抵抗なく円滑となるために、軋む金属音が発生しなくなり、また、デッキが強風による力を受けても金属音の発生を防止できるという優れた効果がある。
【発明を実施するための最良の形態】
【００１０】
図１および図２は、この発明の一実施の形態を示したもので、そのデッキ１は、根太３，３，・・に直行してその上に多数枚のデッキ材５，５，・・が敷かれ、その並びにおいて各デッキ材５に有する突起条６が隣接するデッキ材５に接触した状態で、各デッキ材５がビス７で根太３に止められる。
【００１１】
デッキ材５は、アルミ押出形材からなるもので、その形材としての形状については、下面壁９を共通の一辺として左右１対の中空踏板部１１，１１を矩形に形成するとともに、その両中空踏板部１１，１１の間に凹部となる間隔１３が設けられる。したがって、両中空踏板部１１，１１には、下面壁９と中空を隔てて上面壁１２，１２を有する。そして、一方の中空踏板部１１の外側面の下端部近くに突起条６が形成される。なお、間隔１３の凹部底面には幅中央に沿ってビス７の通し孔を開ける位置決めとなる細溝１４が形成される。１８はビス７を根太３にねじ込む孔である。
【００１２】
突起条６とは反対側において、デッキ材５の端には、下面壁９の延長部をＬ字形片１５に形成することにより中空踏板部１１との間に排水溝１７が設けられ、Ｌ字形片１５の起立部１６が他のデッキ材５の突起条６に線接触するようになっている。また、他端にはその側の中空踏板部１１の上面壁１２の延長部としてコ字形に反転するカバー片１９が突設され、排水溝１７と係合関係にそこに突入するように形成され、カバー片１９の内側上面の幅中央部に突片条２１が垂設される。
【００１３】
突片条２１については、その内側にＬ字形片１５の起立部１６を位置させるときと、外側に位置させるときとがあり、内側に位置させる場合がこの発明に係わりがある。このとき、起立部１６が中空踏板部１１，１１の外側面に近接するものの、突起条６と線接触するために密着することがなく、そのために摺動に抵抗となる面接触になるというような強い摩擦が生じないので、接触が強固であっても金属音が発生することはない。
【００１４】
排水溝１７は、Ｌ字形片１５の起立部１６と中空踏板部１１との間で幅広く形成されるが、デッキ材５，５，・・が根太３の上に配列して止められると、カバー片１９が排水溝１７に上から入り込んでいることによって、足がつまずかないように受入口２２が狭くなる。このように幅広い排水溝１７を構成するＬ字形片１５が面接触すると、本来は金属音の発生の原因となる振動を起こしやすいが、突起条６との線接触となるので振動が発生しない。
【００１５】
排水溝１７は見かけの受入口２２により狭いので、広い割りにはつまずくおそれがないが、さらにつまずく不都合を防止するために、受入口２２の縁に相当するカバー片１９の曲がり箇所と、中空踏板部１１の角部に斜面２３，２３が形成される。なお、両中空踏板部１１，１１の間の間隔１３も排水溝となり得るが、ビス７の孔からの漏水があるので、ここには図示しないキャップを嵌めて塞がれる。また、排水溝１７の底部において中空踏板部１１の側面下端にその底面と面一となるよう凹み２５が設けられる。この凹み２５は排水量の拡大となるが、次の実施形態（図３）では別の用途に利用される。
【００１６】
図３は、デッキ材５がプラスチックの被覆材２０との複合となっている場合を示したもので、デッキ材５が根太３や隣接デッキ材５と金属どうしの接触をしないように、下面とＬ字形片１５とにわたってプラスチックで押出成形された被覆材２０で被覆される。この形態において、Ｌ字形片１５を被覆材２０が全面被覆しているが、剥離しないように先端が前記した凹み２５に掛止される。また、起立部１６が被覆材２０で全面被覆されているので、排水溝１７が全面開口の箇所においても（図３の右端）、足に起立部１６が直接触れなく安全である。
【図面の簡単な説明】
【００１７】
【図１】この発明の一実施形態を示すデッキの一部分解斜視図である。
【図２】同デッキの組立て状態を示すと同時に、一部を引き出して拡大して示す断面図である。
【図３】他の実施の形態を示す図２に対応する断面図である。
【符号の説明】
【００１８】
１  デッキ
３  根太
５  デッキ材
６  突起条
７  ビス
９  下面壁
１１  中空踏板部
１３  間隔
１５  Ｌ字形片
１７  排水溝
１９  カバー片
２０  被覆材
【図１】
2005320763.tif 000003
【図２】
2005320763.tif 000004
【図３】
2005320763.tif 000005